(57)【要約】【課題】人が集まるローカルなエリアなどで、人々が利用する音楽再生機能を持つ携帯電話等で再生されている楽曲などの聴覚情報のタイトルに係る信号を送信し、リアルタイムに、再生されている聴覚情報を収集することができるワイヤレスヘッドホンおよびコンテンツ情報収集システムを提供する。【解決手段】このワイヤレスヘッドホン１０は、携帯電話１１等が再生する聴覚情報に係る信号を受信する再生信号受信部２０と、聴覚情報のタイトルに係る信号を受信するタイトル受信部２９と、タイトル受信部２９によって受信したタイトルに係る信号を送るタイトル送信部３０とを備えている。またワイヤレスヘッドホン１０は、再生信号受信部２０によって受信した聴覚情報に係る信号から聴覚情報をイヤホン１５，１６を介して音として出力する。【選択図】図４
2007241835.tif 000002
【特許請求の範囲】
【請求項１】
聴覚情報の再生装置が再生する前記聴覚情報に係る信号を受信する聴覚情報受信手段と、
前記聴覚情報のタイトルに係る信号を受信するタイトル受信手段と、
前記タイトル受信手段によって受信した前記タイトルに係る信号を送るタイトル送信手段と、を備え、
前記聴覚情報受信手段によって受信した前記聴覚情報に係る信号から前記聴覚情報を音として出力することを特徴とするワイヤレスヘッドホン。
【請求項２】
前記タイトル送信手段は、前記タイトルに係る信号に、装置識別ＩＤに係る信号を付加して送ることを特徴とする請求項１記載のワイヤレスヘッドホン。
【請求項３】
前記再生装置は、音楽再生機能を持つ携帯電話または携帯音楽プレーヤーであることを特徴とする請求項１または２記載のワイヤレスヘッドホン。
【請求項４】
聴覚情報の再生装置が再生する前記聴覚情報に係る信号を受信する聴覚情報受信手段と、前記聴覚情報のタイトルに係る信号を受信するタイトル受信手段と、前記タイトル受信手段によって受信した前記タイトルに係る信号を送るタイトル送信手段とを備え、前記聴覚情報受信手段によって受信した前記聴覚情報に係る信号から前記聴覚情報を音として出力するワイヤレスヘッドホンと、
特定の範囲内にある前記ワイヤレスヘッドホンの前記タイトル送信手段によって送られた前記タイトルに係る信号を受信する少なくとも１つのエリア送受信手段と、
前記エリア送受信手段によって受信された前記タイトルに係る信号に基づいて、前記特定の範囲内で前記再生装置が再生する前記聴覚情報の集計を行う集計手段と、
を備えることを特徴とするコンテンツ情報収集システム。
【請求項５】
前記タイトル送信手段は、前記タイトルに係る信号に装置識別ＩＤに係る信号を付加して送り、
前記エリア送受信手段は、前記タイトルに係る信号とともに前記装置識別ＩＤに係る信号を受信し、
前記集計手段は、特定の装置識別ＩＤに基づいて集計を行う、
ことを特徴とする請求項４記載のコンテンツ情報収集システム。
【請求項６】
１つのエリア送受信手段で受信した信号は、少なくとも１つの他の前記エリア送受信手段に転送され、前記他の前記エリア送受信手段を介して前記集計手段に送られることを特徴とする請求項４または５記載のコンテンツ情報収集システム。
【請求項７】
前記聴覚情報は、音楽、ニュースまたは講座であることを特徴とする請求項４載のコンテンツ情報収集システム。
【請求項８】
前記エリア送受信手段は、エリア固有の情報を送信するエリア情報送信手段を備えることを特徴とする請求項４〜７のいずれか１項に記載のコンテンツ情報収集システム。
【請求項９】
前記再生装置は、音楽再生機能を持つ携帯電話または携帯音楽プレーヤーであることを特徴とする請求項４〜８のいずれか１項に記載のコンテンツ情報収集システム。
【発明の詳細な説明】
【技術分野】
【０００１】
本発明は、ワイヤレスヘッドホンおよびコンテンツ情報収集システムに関し、特に、再生装置で再生している楽音などを聴くとともにその楽音などのタイトルに係る信号を送信するワイヤレスヘッドホンと、送信したタイトルに係る信号に基づいて再生装置で再生している聴覚情報のタイトルを収集するコンテンツ情報収集システムに関する。
【背景技術】
【０００２】
近年、外出先で歩行しながら音楽を楽しむことができる小型で携帯型の再生装置が開発され、多くの人に利用されている。また、音楽再生機能を持つ携帯電話も開発されている。それらの再生装置または携帯電話で聴かれている楽曲がどのようなものであるのか、という情報は、音楽業界のみならず、様々な業界で重要な情報となる。また、音楽を楽しむ個人にとっても、流行っている楽曲がどのようなものか知ることは、非常に楽しいことである。また、若者が集まる街や中高年の集まる街では、流行る楽曲も異なってくる可能性があり、その地域毎での流行る楽曲についての情報も、例えば商店街の人たちにとっては、街を活性化させるための情報として有用な情報となると思われる。
【０００３】
再生装置で再生された楽曲などの再生実績を記録する装置と、個々の再生装置での再生実績を集計処理する装置は、特許文献１において提案されている。
【特許文献１】特開２００１−３１２４７３号公報
【発明の開示】
【発明が解決しようとする課題】
【０００４】
特許文献１で開示される楽曲などの再生実績を記録する装置と、個々の再生装置での再生実績を集計処理する装置は、個々の再生装置で、楽曲などの記録された媒体の再生が行われた記録（再生実績）がなされる。そして、集計装置により複数の装置から通信網で送られた再生実績を集計処理する。それゆえ、再生装置が再生しているときの楽曲についての情報をリアルタイムに集計しているわけではない。現在流行っている楽曲が何か、という情報は、早ければ早いほど、種々の業界、個人にとって有用な情報となる。しかしながら、従来のものでは、そのような条件を満たしていなかった。また、従来のものでは、どこに再生装置があるかについての情報を把握する仕組みのある装置ではないので、地域毎でどのような楽曲が流行っているかについての情報も集計することはできなかった。さらに、人が集まりやすい比較的に狭い局所的な地域（特定なローカルエリア）などでの集計情報を迅速に集計するという仕組みも今まで存在しなかった。
【０００５】
本発明の目的は、上記の課題に鑑み、人が集まるローカルなエリアなどで、これらの人が利用する携帯型の再生装置または音楽再生機能を持つ携帯電話で再生されている楽曲などの聴覚情報のタイトルに係る信号を送信し、リアルタイムに、再生されている聴覚情報を収集することができるワイヤレスヘッドホンおよびコンテンツ情報収集システムを提供することにある。
【課題を解決するための手段】
【０００６】
本発明に係るワイヤレスヘッドホンおよびコンテンツ情報収集システムは、上記目的を達成するために、次のように構成される。
【０００７】
第１のワイヤレスヘッドホン（請求項１に対応）は、聴覚情報の再生装置が再生する聴覚情報に係る信号を受信する聴覚情報受信手段と、聴覚情報のタイトルに係る信号を受信するタイトル受信手段と、タイトル受信手段によって受信したタイトルに係る信号を送るタイトル送信手段とを備え、聴覚情報受信手段によって受信した聴覚情報に係る信号から聴覚情報を音として出力することで特徴づけられる。
【０００８】
上記のワイヤレスヘッドホンでは、再生装置から送られた聴覚情報を受信し、再生装置によって再生される楽曲、ニュース、講座などの聴覚情報を聴くことができ、リアルタイムに、再生装置で再生されている聴覚情報のタイトルを収集することが可能となる。
【０００９】
第２のワイヤレスヘッドホン（請求項２に対応）は、上記の構成において、好ましくは、タイトル送信手段は、タイトルに係る信号に、装置識別ＩＤに係る信号を付加して送ることで特徴づけられる。
【００１０】
第３のワイヤレスヘッドホン（請求項３に対応）は、上記の構成において、好ましくは、再生装置は、音楽再生機能を持つ携帯電話または携帯音楽プレーヤーである。
【００１１】
第１のコンテンツ情報収集システム（請求項４に対応）は、聴覚情報の再生装置が再生する聴覚情報に係る信号を受信する聴覚情報受信手段、聴覚情報のタイトルに係る信号を受信するタイトル受信手段、タイトル受信手段によって受信したタイトルに係る信号を送るタイトル送信手段を備え、聴覚情報受信手段によって受信した聴覚情報に係る信号から聴覚情報を音として出力するワイヤレスヘッドホンと、特定の範囲内にあるワイヤレスヘッドホンのタイトル送信手段によって送られたタイトルに係る信号を受信する少なくとも１つのエリア送受信手段と、エリア送受信手段によって受信されたタイトルに係る信号に基づいて、特定の範囲内で再生装置が再生する聴覚情報の集計を行う集計手段とを備えるように構成される。
【００１２】
第２のコンテンツ情報収集システム（請求項５に対応）は、上記の構成において、好ましくは、タイトル送信手段はタイトルに係る信号に装置識別ＩＤに係る信号を付加して送り、エリア送受信手段はタイトルに係る信号とともに装置識別ＩＤに係る信号を受信し、集計手段は特定の装置識別ＩＤに基づいて集計を行う。
【００１３】
第３のコンテンツ情報収集システム（請求項６に対応）は、上記の構成において、好ましくは、１つのエリア送受信手段で受信した信号は、少なくとも１つの他のエリア送受信手段に転送され、他のエリア送受信手段を介して集計手段に送られることで特徴づけられる。
【００１４】
第４のコンテンツ情報収集システム（請求項７に対応）は、上記の構成において、好ましくは、聴覚情報は、音楽、ニュースまたは講座である。
【００１５】
第５のコンテンツ情報収集システム（請求項８に対応）は、上記の構成において、好ましくは、エリア送受信手段は、エリア固有の情報を送信するエリア情報送信手段を備えることで特徴づけられる。
【００１６】
第６のコンテンツ情報収集システム（請求項９に対応）は、上記の構成において、好ましくは、再生装置は、音楽再生機能を持つ携帯電話または携帯音楽プレーヤーである。
【発明の効果】
【００１７】
本発明によれば、携帯電話等から送られる楽曲等の聴覚情報とタイトル情報とをそれぞれ受信する聴覚情報受信手段およびタイトル信号受信手段と、タイトル情報を送信するタイトル信号送信手段を備えるワイヤレスヘッドホンを実現したため、タイトル情報を収集することができ、これにより、再生装置で再生されている聴覚情報のタイトルをリアルタイムに収集することができる。
【００１８】
また本発明によれば、携帯電話等が再生している聴覚情報のタイトルに係る信号を、タイトル送信手段およびエリア送受信手段によって集計手段に供給し、聴覚情報の集計を行うようにしたため、所定のローカルなエリア内で再生されている聴覚情報のタイトルをリアルタイムで集計することができる。
【００１９】
さらに本発明によれば、タイトルに係る信号に装置識別ＩＤに係る信号を付加して送って特定のＩＤに基づいて集計するようにしたため、聴覚情報を聴いているワイヤレスヘッドホンについての情報も得ることができる。
【００２０】
また本発明によれば、エリア送受信手段は、エリア固有の情報を送信するエリア情報送信手段を備えるため、エリアでの聴かれている楽曲のランキング等のエリア固有の情報を聴くことができる。
【発明を実施するための最良の形態】
【００２１】
以下に、本発明の好適な実施形態（実施例）を添付図面に基づいて説明する。
【００２２】
図１は本発明に係るワイヤレスヘッドホンの構成を示す。ワイヤレスヘッドホン１０は、音楽再生機能を持つ携帯電話１１との組合せで利用される。
【００２３】
携帯電話１１は、楽曲、ニュース、講座などの聴覚情報を再生する機能を持っている。携帯電話１１は、聴覚情報に係る信号を無線１２によってワイヤレスヘッドホン１０に送る。また、携帯電話１１は、再生する聴覚情報に付されたタイトルに係る信号を、無線１２で送信することができるようにも構成されている。
【００２４】
他方、ワイヤレスヘッドホン１０は、コントローラ１３と、コード１４でコントローラ１３に接続されたイヤホン１５，１６とからなっている。コントローラ１３は、携帯電話１１で再生する聴覚情報の選択と、再生開始・再生停止の各コマンドを無線１２で携帯電話１１に送る。またコントローラ１３は、携帯電話１１が無線１２で送信する、再生する聴覚情報に係る信号を受信し、コントローラ１３にコード１４で接続されたイヤホン１５，１６から聴覚情報を音声で出力する。コントローラ１３は、音量調整部（２８：図２参照）を備えており、イヤホン１５，１６から出力される音量を調整することができる。さらに、コントローラ１３は、携帯電話１１で再生する聴覚情報に付されたタイトルに係る信号の送信のコマンドを無線１２で携帯電話１１に送る。またコントローラ１３は、携帯電話１１が無線１２で送信するタイトルに係る信号を受信する。さらに、コントローラ１３は、携帯電話１１から受信したタイトルに係る信号を、無線１７で送信することができるようにも構成されている。また、コントローラ１３は、後述のエリア送受信機（５１：図４参照）から送られるエリア情報を受信し、そのエリア情報をイヤホン１５，１６で聴くことができる。
【００２５】
コントローラ１３と携帯電話１１が無線接続可能な距離にあるとき、コントローラ１３と携帯電話１１は、任意または自動で接続処理が行われる。その状態で、利用者は、コントローラ１３から聴覚情報の選択と再生開始のコマンドを携帯電話１１に無線１２で送信する。携帯電話１１は、送られた聴覚情報の選択と再生開始のコマンドを受信し、そのコマンドを解釈し、再生機能に対して選択、再生開始の指示を送る。携帯電話１１の再生機能は選択された聴覚情報の再生を開始し、携帯電話１１は、その再生開始された聴覚情報をコントローラ１３に無線１２で送信する。コントローラ１３は、携帯電話１１から送信された聴覚情報を受信し、音量調整部で適当な音量にしてイヤホン１５，１６から音声で出力する。それにより、利用者は、携帯電話１１で再生される楽曲などの聴覚情報を聴くことができる。また、コントローラ１３は、再生している聴覚情報のタイトルに係る信号を送るコマンドを送信し、それにより携帯電話１１は、そのタイトルに係る信号を送り、コントローラ１３は、そのタイトルに係る信号を受信する。さらに、コントローラ１３は、後述のエリア送受信機（５１：図４参照）と無線接続可能な距離にあるとき、自動的に接続処理を行い、携帯電話１１が再生している聴覚情報のタイトルとワイヤレスヘッドホン１０を識別するＩＤ（個別ＩＤ）を無線１７でエリア送受信機５１に送信する。また、コントローラ１３は、エリア送受信機５１から送信されるエリア情報を受信し、イヤホン１５，１６から音声で出力する。
【００２６】
図２は、ワイヤレスヘッドホン１０のコントローラ１３の内部機能を示す機能ブロック図である。コントローラ１３は、再生信号受信部２０およびＤＡ変換部２１およびＬ／Ｒ分離部２２と、スイッチ２３およびコマンド信号生成部２４およびコマンド信号送信部２５と、携帯電話接続処理部２６および制御部２７とを備えている。また、コントローラ１３は、音量調整部２８を備えている。さらに、コントローラ１３は、タイトル信号受信部２９とタイトル信号送信部３０とＩＤ記憶部３１とエリア送受信機接続処理部３２を備えている。また、コントローラ１３は、エリア情報受信部３３を備えている。
【００２７】
再生信号受信部２０は、携帯電話１１から無線１２で送られる再生信号を受信する。ＤＡ変換部２１は、再生信号受信部２０から出力されるデジタル信号形式の再生信号をアナログ信号形式の再生信号に変換する。Ｌ／Ｒ分離部２２は、ＤＡ変換部２１から出力される再生信号を左側再生信号と右側再生信号に分離し、それぞれの信号を出力する。音量調整部２８は、Ｌ／Ｒ分離部２２から出力される信号のレベルを調整し、イヤホン１５，１６から出力される音量を調整する。スイッチ２３は、携帯電話１１の聴覚情報再生機能で再生する聴覚情報の選択、再生開始、再生停止を指示するスイッチである。コマンド信号生成部２４は、スイッチ２３で指示した選択、再生開始、再生停止のそれぞれに対応するコマンド信号を生成する。コマンド信号送信部２５は、コマンド信号生成部２４で生成されるコマンド信号を携帯電話１１に無線１２で送信する。携帯電話接続処理部２６は、携帯電話１１とコントローラ１３が無線接続可能な距離になると、制御部２７を動作させ、各機能部を動作可能状態にする。制御部２７は、各機能部の動作を制御する。
【００２８】
タイトル信号受信部２９は、携帯電話１１にタイトル信号送信コマンドを送ることにより送信される聴覚情報のタイトルに係る信号を受信する。ＩＤ記憶部３１は個別ＩＤを記憶している。タイトル信号送信部３０は、タイトル信号受信部２９から出力されたタイトルに係る信号と個別ＩＤを無線１７で後述のエリア送受信機（５１：図４参照）に送信する。エリア情報受信部３３は、エリア送受信機５１から送信されるエリアでの情報に係る信号を受信する。エリア送受信機接続処理部３２は、エリア送受信機５１とコントローラ１３とが無線接続可能な距離になると、制御部２７を動作させ、タイトル信号送信部３０、ＩＤ記憶部３１、エリア情報受信部３３の各々を動作をさせ、タイトル信号送信部３０からのタイトル信号送信が可能な状態とし、また、エリア情報受信部３３がエリア送受信機５１からのエリア情報の受信可能状態とする。
【００２９】
図３は、コントローラ１３の内部のハードウェア的な構成を示す図である。コントローラ１３は、通信部４０とアンテナ４１と制御部４２とメモリ４３とＤＡコンバータ４４とミニプラグ４５とから構成されている。コントローラ１３は、この構成に基づいて、図２で説明した各機能部を実現する。通信部４０は、携帯電話１１とのコマンドの無線通信の送受信、および聴覚情報に係るデータを受信する。さらに、後述のエリア送受信機５１との間でコマンドの無線通信の送受信を行う。ＤＡコンバータ４４は、携帯電話１１とエリア送受信機５１からのデジタル信号形式の信号をアナログ信号形式の信号に変換する。制御部４２は、通信部４０が受信したコマンドを解釈し、携帯電話１１およびエリア送受信機５１に送信するコマンドを生成し制御を行う。また、メモリ４３に保持している個別ＩＤと携帯電話１１を操作することで取得したタイトル（楽曲情報）に係る信号を通信部４０を介してエリア送受信機５１に送信する。通信部４０にはアンテナ４１が装備されている。当該通信部４０は、ブルートゥース通信などの狭域無線通信を行える機能を有している。ここで「狭域無線通信」とは、例えば半径１０ｍ程度の範囲における通信を想定している。また、他の通信技術である無線ＬＡＮ、ＺｉｇＢｅｅ、ＵＷＢを用いることも可能である。
【００３０】
このワイヤレスヘッドホン１０では、図１で示したコントローラ１３と携帯電話１１が無線接続可能な距離になると、制御部４２は、携帯電話１１との接続処理を行う。その状態で、コントローラ１３からの選択、再生開始のコマンドを通信部４０により送信すると、携帯電話１１は、コマンドを解釈し、再生機能を操作し、携帯電話１１は、選択された聴覚情報を再生する。再生されている聴覚情報は、通信部４０により受信し、ＤＡコンバータ４４に送られる。ＤＡコンバータ４４では、デジタル信号形式の信号をアナログ信号形式の信号に変換し、ミニプラグ４５に接続されたイヤホンによって音声で出力される。また制御部４２は、メモリ４３に格納される個別ＩＤと携帯電話１１とを操作することで、取得したタイトル（楽曲情報）を通信部４０を介してエリア送受信機５１に送信する。
【００３１】
次に、図４に、本発明の実施形態に係るコンテンツ情報収集システムの全体的構成を示す。このコンテンツ情報収集システム５０は、ワイヤレスヘッドホン１０と携帯電話１１とエリア送受信機５１と集計システム５２とで構成されている。このコンテンツ情報収集システムは、人が集まりやすい例えば特定なローカルエリアでの楽曲情報収集システムである。しかし、本発明に係るコンテンツ情報収集システムは、楽曲情報収集システムには限定されない。
【００３２】
ワイヤレスヘッドホン１０は、図１〜図３で示したものと同様のものであり、携帯電話１１から無線１２で送られた聴覚情報を受信し、聴くために用いられる。ワイヤレスヘッドホン１０は、携帯電話１１が再生している聴覚情報に係る信号を受信する聴覚情報受信部（再生信号受信部）と、聴覚情報のタイトルに係る信号を送るタイトル信号送信部とを備えている。エリア送受信機５１は、特定の範囲５３内にあるワイヤレスヘッドホン１０のコントローラ１３のタイトル信号送信部３０によって無線１７で送られたタイトルに係る信号を受信する。集計システム５２は、エリア送受信機５１によって受信されたタイトルに係る信号に基づいて、特定の範囲（エリア）５３内で携帯電話１１が再生している聴覚情報の集計を行う。また、エリア送受信機５１から送られるエリア情報もワイヤレスヘッドホン１０によって聴くことができる。上記の特定の範囲５３は、ワイヤレスヘッドホン１０を利用する多くの人が集まる任意のローカル（相対的に狭域）なエリアである。
【００３３】
図５は、エリア送受信機５１の内部機能を示す機能ブロック図である。エリア送受信機５１は、タイトル信号受信部６０とタイトル信号送信部６１と接続処理部６２と制御部６３と位置情報記憶部６４を備えている。また、エリア送受信機５１は、エリア情報受信部６５とエリア情報送信部６６を備えている。タイトル信号受信部６０は、コントローラ１３から無線１７で送られるタイトル信号と個別ＩＤに係る信号を受信する。タイトル信号送信部６１は、タイトル信号受信部６０で受信したタイトル信号と個別ＩＤと位置情報記憶部６４に記憶されているタイトル受信機の位置情報を集計システム５２に送信する。接続処理部６２は、コントローラ１３とエリア送受信機５１が無線接続可能な距離になったとき、制御部６３を動作させ、タイトル信号受信部６０とタイトル信号送信部６１とエリア情報送信部６６を動作可能状態にする。エリア情報送信部６６は、エリア情報受信部６５によって集計システム５２から受信したエリア内での楽曲ランキング等のエリア情報を無線１７によってコントローラ１３に送る。
【００３４】
このコンテンツ情報収集システム５０は、例えば、音楽再生機能を持つ携帯電話１１を持つ人が集まる場所（範囲５３）内に、エリア送受信機５１を設置する。そして、集計システム５２は、範囲５３で聴かれている楽曲ランキングを集計する。その集計データは、楽曲会社、楽曲ダウンロード会社がランキング情報をマーケット情報、販売促進ツールとして使用することができる。
【００３５】
図６は、本実施形態に係るコンテンツ情報収集システム５０の動作手順の一例を示す図である。コントローラ１３と携帯電話１１は、無線接続可能な距離にあるときに、任意または自動で接続処理が行われる（ステップＳ１１）。コントローラ１３の再生開始の操作で、コントローラ１３は、再生開始コマンドを携帯電話１１に送信する（ステップＳ１２）。携帯電話１１は再生を開始し、音楽などの聴覚情報をコントローラ１３に送信する（ステップＳ１３）。また、コントローラ１３は、タイトル（楽曲情報）を取り出すためタイトル送信コマンドを送り、（ステップＳ１４）、携帯電話１１からタイトル（楽曲情報）に係る信号を受信する（ステップＳ１５）。さらに、コントローラ１３は、無線接続可能な距離にあるエリア送受信機５１と自動的に接続処理を行い（ステップＳ１６）、携帯電話１１から取り出したタイトル（楽曲情報）とメモリ４３に保持している個別ＩＤをエリア送受信機５１に送信する（ステップＳ１７）。エリア送受信機５１は受信した楽曲情報、個別ＩＤと、受信機自身が保持している位置情報を集計システムに送信する（ステップＳ１８）。集計システム５２はエリア送受信機５１から集まった情報を管理、集計する。また、集計システム５２は、エリア情報をエリア送受信機５１に送り（ステップＳ１９）、エリア送受信機５１はエリア情報をコントローラ１３に送る（ステップＳ２０）。送信が終了すると切断処理を行い受信機と接続を終了する（ステップＳ２１）。このように、範囲５３内で再生されている聴覚情報のタイトルをリアルタイムに収集し、集計することができる。また、収集された情報には、エリア送受信機５１の位置情報が含まれるので、その位置情報に基づいて収集したエリアも特定できる。さらに、収集された情報には、個別ＩＤも含まれるので、聴覚情報を再生している装置についての情報も得ることができ、範囲５３と装置を含めた集計をすることができる。また、利用者は、集計システムから送られるエリア情報も聴くことができる。なお、利用者の属性とともに、予め集計システム５２のデータベースなどに個別ＩＤを登録しておくことで、登録された個別ＩＤを持つワイヤレスヘッドホンで聴いている聴覚情報のタイトルのみを集計するようにすることもできる。利用者の属性に関係させて集計を行う場合には、事前に利用者の属性情報を登録しておくことが望ましい。
【００３６】
次に図７を参照して、本発明に係るコンテンツ情報収集システムの他の実施形態について説明する。図７はコンテンツ情報収集システムの全体的構成を示し、図６に類似する図である。このコンテンツ情報収集システム７０は、ワイヤレスヘッドホン１０と携帯電話１１とエリア受信機５１，５４，５５，５６と集計システム５２とを備えている。このコンテンツ情報収集システムでは、範囲７１において、図４および図５で示したものと同様の構造・機能を有する複数のエリア送受信機を備えている。
【００３７】
上記の範囲７１に配置されたエリア送受信機５１，５４，５５，５６のそれぞれには狭域無線通信用の通信部（タイトル信号受信部６０とタイトル信号送信部６１とエリア情報受信部６５とエリア情報送信部６６）を内蔵しており、隣接するエリア送受信機同士の間で相互に無線で通信を行い、１つのエリア送受信機で受信したタイトルに係る信号を送受するように構成されている。また、集計システム５２からのエリア情報に係る信号を送受し、コントローラ１３と接続する１つのエリア送受信機から送信するように構成されている。従って、例えばいずれか１つのエリア送受信機で受信されたタイトルに係る信号は、当該エリア送受信機から隣接するエリア送受信機で次々にリレー式に送受信され、最終的に集計システム５２に供給される。また、集計システム５２から送られたエリア情報に係る信号は、当該エリア送受信機から隣接するエリア送受信機で次々にリレー式に送受信され、最終的にコントローラ１３に供給される。
【００３８】
上記の狭域無線通信機能を有する通信部に基づく無線通信によってエリア送受信機５１，５４，５５，５６の間においてリレー的に通信を行い、コントローラ１３からの信号を集計システム５２まで伝送して、この集計システム５２で範囲７１での集計ができるように構成することが可能となる。また、集計システム５２からのエリア情報もワイヤレスヘッドホン１０によって聴くことが可能となる。
【００３９】
図８は、コンテンツ情報収集システム７０の動作手順の一例を示す図である。ワイヤレスヘッドホン１０のコントローラ１３と携帯電話１１は、無線接続可能な距離にあるときに、任意または自動で接続処理が行われる（ステップＳ３１）。コントローラ１３の再生開始の操作で、コントローラ１３は、再生開始コマンドを携帯電話１１に無線１２で送信する（ステップＳ３２）。携帯電話１１は、受信した再生開始コマンドを解釈し、携帯電話１１は再生を開始し、携帯電話１１は、音楽をコントローラ１３に無線１２で送信する（ステップＳ３３）。また、コントローラ１３は、タイトル（楽曲情報）を取り出すためタイトル送信コマンドを送り、（ステップＳ３４）、携帯電話１１からタイトル（楽曲情報）に係る信号を受信する（ステップＳ３５）。また、コントローラ１３は、無線接続可能な距離にあるエリア送受信機５１と自動的に接続処理を行い（ステップＳ３６）、携帯電話１１から取り出したタイトル（楽曲情報）とメモリ４３に保持している個別ＩＤをエリア送受信機５１に無線１７で送信する（ステップＳ３７）。エリア送受信機５１は受信した楽曲情報、個別ＩＤと、エリア送受信機５１自身が保持している位置情報を集計システム５２に送信する。このとき、通信部に基づく無線１８，１９による通信によってエリア送受信機５１，５４，５５の間においてリレー的に通信を行い、コントローラ１３からの信号を集計システム５２まで伝送する（ステップＳ３８，ステップＳ３９、ステップＳ４０）。集計システム５２は各タイトル受信機から集まった情報を管理、集計する。また、集計システム５２からはエリア情報が送られ、通信部に基づく無線１８，１９による通信によってエリア送受信機５５，５４，５１の間においてリレー的に通信を行い、集計システム５２からの信号をコントローラ１３まで伝送する（ステップＳ４１，ステップＳ４２、ステップＳ４３、ステップＳ４４）。送信が終了すると切断処理を行い受信機と接続を終了する（ステップＳ４５）。このように、エリア内で再生されている聴覚情報のタイトルをリアルタイムに収集し、集計することができる。また、収集された情報には、エリア送受信機５１の位置情報が含まれるので、その位置情報に基づいて収集したエリアも特定できる。さらに、収集された情報には、個別ＩＤも含まれるので、聴覚情報を再生している装置についての情報も得ることができ、エリアと装置を含めた集計をすることができる。また、あらかじめ集計システムに個別ＩＤを登録しておくことで、登録された個別ＩＤを持つ装置からの再生している聴覚情報のタイトルのみを集計するようにすることもできる。また、集計システムから送信されるエリア情報を聴くことができる。
【００４０】
なお、上記の各実施形態では、聴覚情報を再生する装置として携帯電話を用いて説明したが、それに限定されず、携帯音楽プレーヤーを用いることもできる。
【００４１】
以上の実施形態で説明された構成、形状、大きさおよび配置関係については本発明が理解・実施できる程度に概略的に示したものにすぎない。従って本発明は、説明された実施形態に限定されるものではなく、特許請求の範囲に示される技術的思想の範囲を逸脱しない限り様々な形態に変更することができる。
【産業上の利用可能性】
【００４２】
本発明は、携帯電話等の携帯型の再生装置で再生されている楽曲などの個別情報を収集するシステムとして利用される。
【図面の簡単な説明】
【００４３】
【図１】本発明に係るワイヤレスヘッドホンの全体的構成を示す図である。
【図２】本発明に係るワイヤレスヘッドホンのコントローラの機能ブロック図である。
【図３】本発明に係るワイヤレスヘッドホンのコントローラの内部構成を示す図である。
【図４】本発明に係るコンテンツ情報収集システムの全体的構成を示す図である。
【図５】本発明に係るコンテンツ情報収集システムのエリア送受信機の機能ブロック図である。
【図６】本発明に係るコンテンツ情報収集システムの動作手順の一例を示す図である。
【図７】本発明に係るコンテンツ情報収集システムの別の全体的構成を示す図である。
【図８】本発明に係るコンテンツ情報収集システムの動作手順の一例を示す図である。
【符号の説明】
【００４４】
１０        ワイヤレスヘッドホン
１１        携帯電話
１３        コントローラ
１４        コード
１５，１６  イヤホン
２０        再生信号受信部
２１        ＤＡ変換部
２２        Ｌ／Ｒ分離部
２３        スイッチ
２４        コマンド信号生成部
２５        コマンド信号送信部
２６        携帯電話接続処理部
２７        制御部
２８        音量調整部
２９        タイトル信号受信部
３０        タイトル信号送信部
３１        ＩＤ記憶部
３２        エリア送受信機接続処理部
３３        エリア情報受信部
【図１】
2007241835.tif 000003
【図２】
2007241835.tif 000004
【図３】
2007241835.tif 000005
【図４】
2007241835.tif 000006
【図５】
2007241835.tif 000007
【図６】
2007241835.tif 000008
【図７】
2007241835.tif 000009
【図８】
2007241835.tif 000010